(57)【要約】【課題】洗浄により荷電極板上へ汚れが堆積することによる捕集率低下を防ぎ、高い捕集効率を持続する。【解決手段】洗浄可能な電気集塵装置１の荷電極板の支持棒１０および集塵電極板の支持棒１１は集塵手段の風上側最上部に備えたものに対して、風下側最上部に備えたものの高さを鉛直方向に低い位置に設け、洗浄ノズル１２は風下側最上部の支持棒の上方または上方風下側にあり、洗浄水を荷電極板８の鉛直方向で風上側の辺に向けて噴射するよう傾けて設け、荷電極板８の下辺には風上側に最下点を持ち、下辺から最下点に向けて傾斜辺を延設して突出部１９を設け、洗浄水を荷電極板８上方の風下側から荷電極板８の鉛直方向で風上側の辺に向け噴射し、荷電極板８上を風下側上方から風上側の辺へ阻害されることなく広く流し、風上側に流れた洗浄水を重力の作用によって荷電極板８上を風上側の辺に沿って流れ落として突出部１９の最下点からスムーズに落下させる。【選択図】図４
2015181999.tif 000002
【特許請求の範囲】
【請求項１】
放電電極と接地電極で構成する帯電手段と、矩形の荷電極板と同じく矩形の集塵電極板で構成し前記荷電極板と前記集塵電極板を一定の間隔を設けて交互に配列するための支持棒を複数備えた集塵手段とを水平方向に風上側から順番に配置し、前記荷電極板と前記集塵電極板の対向する面を洗う洗浄ノズルを備えた電気集塵装置において、前記支持棒は集塵手段の風上側最上部に備えたものに対して、風下側最上部に備えたものの高さを鉛直方向に低い位置に設け、前記洗浄ノズルは前記風下側最上部の支持棒の上方または上方風下側にあり、洗浄水を前記荷電極板の鉛直方向で風上側の辺に向けて噴射するよう傾けて設け、前記荷電極板の下辺には風上側に最下点を持ち、下辺から最下点に向けて傾斜辺を延設して突出部を設けた電気集塵装置。
【請求項２】
前記電気集塵装置の本体は箱状で対向する面のそれぞれにダクトを接続する開口があり、これら開口を結ぶ風路に前記帯電手段と前記集塵手段を前後に配置し、前記突出部は前記風路から下方へ外れた位置に配置することを特徴とする請求項１記載の電気集塵装置。
【請求項３】
前記突出部の面積は支持棒の断面積よりも大きく設け、前記荷電極板を支持する前記支持棒の少なくとも１つは、前記突出部に設けた請求項１および２に記載の電気集塵装置。
【請求項４】
前記突出部の突出形状は、風上側から風下側に向かって、流線型に湾曲した形状とした請求項１記載の電気集塵装置。
【請求項５】
前記集塵電極板の下辺には先鋭部を設け、前記先鋭部は前記荷電極板の突出部から風下側に離した位置に備えた請求項１記載の電気集塵装置。
【請求項６】
前記先鋭部は風路から下方へ外れた位置に配置する請求項１、２および５のいずれか一つに記載の電気集塵装置。
【請求項７】
前記先鋭部の面積は支持棒の断面積よりも大きく設け、前記集塵電極板を支持する前記支持棒の少なくとも１つは、前記先鋭部に設けた請求項１、２、３、５および６のいずれか一つに記載の電気集塵装置。
【請求項８】
前記先鋭部は、風上側から風下側に向かって、流線型に湾曲した形状とした請求項１、３および５のいずれか一つに記載の電気集塵装置。
【発明の詳細な説明】
【技術分野】
【０００１】
本発明は、汚染された空気を浄化する際に使用される電気集塵装置で特に極板部を洗浄することで長期使用においても捕集率の維持および向上を行うものに関するものである。
【背景技術】
【０００２】
従来、この種の電気集塵装置は、極板の下端部に突出部を備えることで液滴溜まりの制御をしているものが知られている（例えば、特許文献１参照）。
【０００３】
図７は、前記特許文献１に記載された従来の電気集塵装置の極板形状を示すものである。図７において、集塵極板１０１の下端部に、少なくとも１つの先鋭部１０２と上記先鋭部１０２が形成された集塵極板と対向する極板１０３の、上記先鋭部１０２と対向する位置に、空間距離（ｄ）を長くするための逃げ部１０４を備え、先鋭部１０２や逃げ部１０４から効率よく液滴が滴下し、液滴溜まりの制御が可能とする構成をしていた。
【先行技術文献】
【特許文献】
【０００４】
【特許文献１】特開平５−４１４８４号公報
【発明の概要】
【発明が解決しようとする課題】
【０００５】
このような、従来の液滴の制御を施した電気集塵装置では、液滴が極板上を流れる際は重力の作用によって上部から下部に垂直方向へ移動するのみの構成になっていたので、液滴を効果的に突出部に導けず、極板間に汚れが堆積し、捕集効率が低下するという課題を有していた。また、荷電極板は特に気流入り口の風上側に汚れが堆積し、集塵手段の風上側は帯電手段が隣接しているので洗浄ノズルからの洗浄水が届きにくいため汚れが堆積してしまう。その結果、汚れの堆積による極板間の電圧降下から捕集効率の低下を引き起こしてしまう。
【０００６】
本発明は、上記従来の課題を解決するものであり、汚れが極板に堆積しないよう洗浄性能を向上させた電気集塵装置を提供することを目的とする。
【課題を解決するための手段】
【０００７】
そして、この目的を達成するために、本発明は、放電電極と接地電極で構成する帯電手段と、矩形の荷電極板と同じく矩形の集塵電極板で構成し前記荷電極板と前記集塵電極板を一定の間隔を設けて交互に配列するための支持棒を複数備えた集塵手段とを水平方向に風上側から順番に配置し、前記荷電極板と前記集塵電極板の対向する面を洗う洗浄ノズルを備えた電気集塵装置において、前記支持棒は集塵手段の風上側最上部に備えたものに対して、風下側最上部に備えたものの高さを鉛直方向に低い位置に設け、前記洗浄ノズルは風下側最上部の支持棒の上方または上方風下側にあり、洗浄水を前記荷電極板の鉛直方向で風上側の辺に向けて噴射するよう傾けて設け、前記荷電極板の下辺には風上側に最下点を持ち、下辺から最下点に向けて傾斜辺を延設して突出部を設けた構成を備えたものであり、これにより所期の目的を達成するものである。
【発明の効果】
【０００８】
本発明によれば、放電電極と接地電極で構成する帯電手段と、矩形の荷電極板と同じく矩形の集塵電極板で構成し前記荷電極板と前記集塵電極板を一定の間隔を設けて交互に配列するための支持棒を複数備えた集塵手段とを水平方向に風上側から順番に配置し、前記荷電極板と前記集塵電極板の対向する面を洗う洗浄ノズルを備えた電気集塵装置において、前記支持棒は集塵手段の風上側最上部に備えたものに対して、風下側最上部に備えたものの高さを鉛直方向に低い位置に設け、前記洗浄ノズルは前記風下側最上部の支持棒の上方または上方風下側にあり、洗浄水を前記荷電極板の鉛直方向で風上側の辺に向けて噴射するよう傾けて設け、前記荷電極板の下辺には風上側に最下点を持ち、下辺から最下点に向けて傾斜辺を延設して突出部を設けた構成を有するので、洗浄ノズルは洗浄水を荷電極板上方の風下側から荷電極板の鉛直方向で風上側の辺に向け噴射すると、風下側の最上部にある支持棒に阻害されることなく、洗浄水は風下側上方から風上側の辺へ広く流れることができる。そして風上側に流れた洗浄水は、重力の作用によって荷電極板上を風上側の辺に沿って流れ落ちて突出部に集まり、突出部の最下点からスムーズに落下することとなるので、洗浄水の噴射角度と重力の作用により荷電極板の風下側上方から風上側下方へと極板全体を洗浄しつつ、特に風上側の汚れを効率的に除去することができる。したがって、洗浄水の噴射によって荷電極板上へ汚れが堆積することによる捕集率低下を防ぎ、高い捕集効率を持続させるという効果を奏する。
【図面の簡単な説明】
【０００９】
【図１】本発明の電気集塵装置の構成図
【図２】本発明の実施の形態１の荷電極板をはじめとする特徴部分の構成図
【図３】本発明の実施の形態１の荷電極板と集塵電極板をはじめとする特徴部分の構成図
【図４】本発明の実施の形態１の電気集塵装置の構成図
【図５】本発明の実施の形態２の荷電極板をはじめとする特徴部分の構成図
【図６】本発明の実施の形態２の荷電極板と集塵電極板をはじめとする特徴部分の構成図
【図７】従来の電気集塵装置の特徴部分の構成図
【発明を実施するための形態】
【００１０】
本発明の請求項１記載の電気集塵装置は、放電電極と接地電極で構成する帯電手段と、矩形の荷電極板と同じく矩形の集塵電極板で構成し前記荷電極板と前記集塵電極板を一定の間隔を設けて交互に配列するための支持棒を複数備えた集塵手段とを水平方向に風上側から順番に配置し、前記荷電極板と前記集塵電極板の対向する面を洗う洗浄ノズルを備えた電気集塵装置において、前記支持棒は集塵手段の風上側最上部に備えたものに対して、風下側最上部に備えたものの高さを鉛直方向に低い位置に設け、前記洗浄ノズルは前記風下側最上部の支持棒の上方または上方風下側にあり、洗浄水を前記荷電極板の鉛直方向で風上側の辺に向けて噴射するよう傾けて設け、前記荷電極板の下辺には風上側に最下点を持ち、下辺から最下点に向けて傾斜辺を延設して突出部を設けた構成を有する。
【００１１】
これにより、風下側の最上部にある支持棒は鉛直方向に低く位置しているので、洗浄ノズルは洗浄水を荷電極板上方の風下側から荷電極板の鉛直方向で風上側の辺に向け噴射すると、洗浄水は風下側上方から風上側の辺へ阻害されることなく広く流れることができる。そして風上側に流れた洗浄水は、重力の作用によって荷電極板上を風上側の辺に沿って流れ落ちて突出部に集まり、突出部の最下点からスムーズに落下することとなるので、洗浄水によって荷電極板全体を洗浄しつつ、特に風上側の汚れを効率的に除去することができる。つまり、洗浄水の噴射によって荷電極板上へ汚れが堆積することによる捕集率低下を防ぎ、高い捕集効率を持続させるという効果を奏する。
【００１２】
また、本発明の請求項２記載の電気集塵装置は、前記電気集塵装置の本体は箱状で対向する面のそれぞれにダクトを接続する開口があり、これら開口を結ぶ風路に前記帯電手段と前記集塵手段を前後に配置し、前記突出部は前記風路から下方へ外れた位置に配置する構成を有する。
【００１３】
これにより、荷電極板上から除去され突出部に集まった汚れは、風路から下方へ外れた位置に集まるので、電気集塵に関与する極板部に汚れが堆積することを防ぎ、捕集効率低下を避け高い捕集効率を維持させる効果を奏する。
【００１４】
また、本発明の請求項３記載の電気集塵装置は、前記突出部の面積は支持棒の断面積よりも大きく設け、前記荷電極板を支持する前記支持棒の少なくとも１つは、前記突出部に設けた構成を有する。
【００１５】
これにより、支持棒を極板部に設けることを避けることができ、集塵に関与する面積を広く用いることができるので高い捕集効率を得る効果を奏する。
また、本発明の請求項４記載の電気集塵装置は、前記突出部の突出形状は、風上側から風下側に向かって、流線型に湾曲した形状とした構成を有する。
【００１６】
これにより、気流が風上側から突出部に流入した場合でも気流の乱れを低減することができ、電気集塵装置内での圧力損失を緩和する効果を奏する。
【００１７】
また、本発明の請求項５記載の電気集塵装置は、前記集塵電極板の下辺には先鋭部を設け、前記先鋭部は前記荷電極板の突出部から風下側に離した位置に備えたという構成を有する。
【００１８】
これにより、先鋭部は突出部から風下側に離すことで、十分な空間距離を確保することができ、荷電極板上および集塵電極板上から洗浄された汚れが突出部および先鋭部に堆積しても通電することを防ぐ効果を奏する。
【００１９】
また、本発明の請求項６記載の電気集塵装置は、前記先鋭部は風路から下方へ外れた位置に配置する構成を有する。
【００２０】
これにより、集塵電極板上から除去され先鋭部に集まった汚れは風路から下方へ外れた位置集まるので、電気集塵に関与する極板部に汚れが堆積することを防ぎ、捕集効率低下を避け高い捕集効率を維持させる効果を奏する。
【００２１】
また、本発明の請求項７記載の電気集塵装置は、前記先鋭部の面積は支持棒の断面積よりも大きく設け、前記集塵電極板を支持する前記支持棒の少なくとも１つは、前記先鋭部に設けたという構成を有する。
【００２２】
これにより、支持棒を極板部に設けることを避けることができ、集塵に関与する面積を広く用いることができるので高い捕集効率を得る効果を奏する。
【００２３】
また、本発明の請求項８記載の電気集塵装置は、前記先鋭部は、風上側から風下側に向かって、流線型に湾曲した形状とした構成を有する。
【００２４】
これにより、気流が風上側から突出部に流入した場合でも気流の乱れを低減することができ、電気集塵装置内での圧力損失を緩和する効果を奏する。
【００２５】
以下、本発明の実施の形態について図面を参照しながら説明する。
【００２６】
（実施の形態１）
図１に示すように、電気集塵装置１の本体は箱状で対向する面のそれぞれにダクト２を接続する開口３があり、これら開口３を結ぶ風路に帯電手段４と集塵手段５を水平方向に風上から順番に配置している。帯電手段４は、放電電極６と接地電極７で構成し、集塵手段５は矩形の荷電極板８と同じく矩形の集塵電極板９で構成しており、荷電極板８と集塵電極板９を一定の間隔を設けて交互に配列するために荷電極板の支持棒１０と集塵電極板の支持棒１１を複数備えている。
【００２７】
また、集塵手段５の上方には荷電極板８と集塵電極板９の対向する面を洗う洗浄ノズル１２を備えている。
【００２８】
放電電極６、接地電極７、荷電極板８、集塵電極板９、荷電極板の支持棒１０および集塵電極板の支持棒１１は導電性の金属、好ましくはＳＵＳもしくはアルミからなる。荷電極板の支持棒１０は荷電極板８の保持と導電を確保するためにあり、集塵電極板９とは接触しないように集塵電極板９には荷電極板の支持棒を通す穴１３が空けられている。同様に、集塵電極板の支持棒１１は集塵電極板９の保持と集塵電極板９をアースに接続するためにあり、荷電極板８とは接触しないように荷電極板８には集塵電極板の支持棒を通す穴１４が空けられている。
【００２９】
さらに、図２において、荷電極板の支持棒１０や集塵電極板の支持棒を通す穴１４は荷電極板８の風上側最上部に備えた荷電極板の支持棒１５および風上側最上部に備えた集塵電極板の支持棒を通す穴１６に対して、風下側最上部に備えた荷電極板の支持棒１７および風下側最上部に備えた集塵電極板の支持棒を通す穴１８の高さを鉛直方向に低い位置に設け、洗浄ノズル１２は風下側最上部に備えた荷電極板の支持棒１７および風下側最上部に備えた集塵電極板の支持棒を通す穴１８の上方または上方風下側にあり、洗浄水を荷電極板８の鉛直方向で風上側の辺に向けて噴射するよう傾けて設け、荷電極板８の下辺には風上側に最下点を持ち、下辺から最下点に向けて傾斜辺を延設して突出部１９を設けたものである。
【００３０】
上記構成において、電気集塵時には帯電手段４および集塵手段５に電圧を印加し、送風機により汚染空気をダクト２から電気集塵装置１の開口３に流入させる。流入した汚染空気は帯電手段４の放電電極６からのコロナ放電により汚染空気中の粒子は電荷を帯びる。その後電荷を帯びた粒子は集塵手段５の荷電極板８と集塵電極板９間の電界空間を極板方向に移動し、集塵電極板９に付着する。また粒子が予め荷電極板の対となる電荷を帯びている時には荷電極板８に付着する。このようにして、粒子が極板に付着することで汚染空気は清浄される。この時、微細粒子は極板方向への移動度が大きく、特に集塵手段５の風上側に粒子は付着する。集塵を行っている間、洗浄ノズル１２からの洗浄水の噴射は停止している。一方、汚れの堆積物を洗浄する時は、帯電手段４と集塵手段５への電圧印加と送風を止め、洗浄ノズル１２から洗浄水を噴射することで極板上の汚れを落とす。その後洗浄ノズルからの洗浄水を停止し、送風して乾燥させることで極板に付着した汚れを除去し、再び集塵できるようにする。一般に極板部に汚れが堆積すると堆積物が抵抗となって電圧降下が生じ極板間の電界強度が弱くなることで捕集効率が低下してしまうが、極板の洗浄を行うことで捕集率低下を防ぐことが出来る。
【００３１】
また、洗浄ノズル１２は洗浄水を荷電極板８上方の風下側から荷電極板８の鉛直方向で風上側の辺に向け噴射しても、荷電極板の支持棒１０や集塵電極板の支持棒を通す穴１４に邪魔されることなく広く風上側に洗浄水を流すことができる。そして風上側に流れた洗浄水は、重力の作用によって荷電極板８上を風上側の辺に沿って流れ落ちて突出部１９に集まり、突出部１９を設けたことにより、突出部１９の最下点からスムーズに落下することとなる。したがって洗浄水の噴射角度と重力の作用により荷電極板の風下側上方から風上側下方へと極板全体を洗浄しつつ、特に洗浄水が到達しにくい風上側の汚れを効率的に除去することができる。つまり、洗浄水の噴射によって荷電極板８上へ汚れが堆積することによる捕集率低下を防ぐことで、高い捕集効率を持続させることができる。
【００３２】
さらに、本実施の形態において以下の構成を付加してもよい。
【００３３】
すなわち、荷電極板８の突出部１９と同様に集塵電極板９にも先鋭部２０を設けることができる。図３において、集塵電極板９の下辺には先鋭部２０を設け、先鋭部２０は荷電極板８の突出部１９から風下側に離した位置に備える構成を有する。
【００３４】
これにより、荷電極板８および集塵電極板９の洗浄後、突出部１９や先鋭部２０からスムーズに液滴が落下することで、極板の下辺の水きり性が増し乾燥時間が短くなり、集塵を行えない時間を短縮することができる。さらに、先鋭部２０は突出部１９から風下側に離すことで、十分な空間距離（Ｄ）を確保することができ、荷電極板８上および集塵電極板９上から洗浄された汚れが突出部１９および先鋭部２０に堆積しても通電することを防ぐことができる。
【００３５】
また図４において、突出部１９と先鋭部２０はダクト２および電気集塵装置１の開口３から下方、すなわち風路から下方へ外れた位置に配置することが望ましい。
【００３６】
これにより、荷電極板８上から除去され突出部１９に集まった汚れおよび集塵電極板９上から除去され先鋭部２０に集まった汚れは、風路から下方へ外れた位置に集まるので、電気集塵に関与する極板部に汚れが堆積することを防ぎ、捕集効率低下を避け高い捕集効率を維持させることができる。
【００３７】
また、突出部１９および先鋭部２０は最下点を持った形状としたが、流線型の形状でもよい。これにより流入する気流の乱れを減らし電気集塵装置１での圧力損失を低減することもできる。
【００３８】
（実施の形態２）
図５において、突出部１９の面積は荷電極板の支持棒１０の断面積よりも大きく設け、荷電極板の支持棒１０の少なくとも１つは、突出部１９に設けた構成を有する。同時に図６において、先鋭部２０の面積は集塵電極板の支持棒１１の断面積よりも大きく設け、集塵電極板の支持棒１１の少なくとも１つは、先鋭部２０に設ける構成を有する。
【００３９】
これにより、荷電極板の支持棒１０および集塵電極板の支持棒を通す穴１４の少なくとも１組を荷電極板８の有効集塵極板部に設けることを避けることができ、同時に集塵電極板の支持棒１１および荷電極板の支持棒を通す穴１３の少なくとも１組を集塵電極板９の有効集塵極板部に設けることを避けることができる。したがって、集塵に関与する面積を広く用いることができるので高い捕集効率を得ることができる。
【産業上の利用可能性】
【００４０】
本発明では、支持棒は、集塵手段の風上側最上部に備えたものに対して、風下側最上部に備えたものの高さを鉛直方向に低い位置に設け、洗浄ノズルは風下側最上部の支持棒の上方または上方風下側にあり、洗浄水を荷電極板の鉛直方向で風上側の辺に向けて噴射するよう傾けて設け、前記荷電極板の下辺には風上側に最下点を持ち、下辺から最下点に向けて傾斜辺を延設して突出部を設けた構成を備えたものであり、汚染された空気を浄化する際に使用される電気集塵装置において、極板の洗浄を容易にしたものとして有用である。
【符号の説明】
【００４１】
１  電気集塵装置
２  ダクト
３  開口
４  帯電手段
５  集塵手段
６  放電電極
７  接地電極
８  荷電極板
９  集塵電極板
１０  荷電極板の支持棒
１１  集塵電極板の支持棒
１２  洗浄ノズル
１３  荷電極板の支持棒を通す穴
１４  集塵電極板の支持棒を通す穴
１５  風上側最上部に備えた荷電極板の支持棒
１６  風上側最上部に備えた集塵電極板の支持棒を通す穴
１７  風下側最上部に備えた荷電極板の支持棒
１８  風下側最上部に備えた集塵電極板の支持棒を通す穴
１９  突出部
２０  先鋭部
１０１  集塵極板
１０２  先鋭部
１０３  集塵極板と対向する極板
１０４  逃げ部
【図１】
2015181999.tif 000003
【図２】
2015181999.tif 000004
【図３】
2015181999.tif 000005
【図４】
2015181999.tif 000006
【図５】
2015181999.tif 000007
【図６】
2015181999.tif 000008
【図７】
2015181999.tif 000009